(57)【要約】【課題】外の包みをといた時点で謎解きのような興味をそそられ得る商品の包装用ケースを提供しようとするもの。【解決手段】異なる数字１が付された商品群から選択された複数の商品２を収容するケース４であって開閉フタ３を有し、前記収容された複数の商品２に付された各数字１を閉フタ状態で視認可能とする複数の対応窓部５が前記開閉フタ３に連設された。この商品の包装用ケースでは、異なる数字が付された商品群から選択され収容された複数の商品に付された各数字が、その開閉フタに連設された複数の対応窓部を介して閉フタ状態でも視認可能である。よって、開閉フタが閉フタ状態でも、選択された複数の数字を見て、その組み合わせや配列に込められた意味に色々と思いを馳せ想像を巡らすことができる。【選択図】        図１
2004196320.tif 000002
【特許請求の範囲】
【請求項１】
異なる数字が付された商品群から選択された複数の商品を収容するケースであって開閉フタを有し、前記収容された複数の商品に付された各数字を閉フタ状態で視認可能とする複数の対応窓部が前記開閉フタに連設されたことを特徴とする商品の包装用ケース。
【請求項２】
前記商品群は異なる数字が付された商品と共に他の表示が付された商品とから成る請求項１記載の商品の包装用ケース。
【発明の詳細な説明】
【０００１】
【発明の属する技術分野】
この発明は、例えば贈答（ギフト）用などに特に好適な商品の包装用ケースに関するものである。
【０００２】
【従来の技術】
従来より、石鹸などの商品を複数個収納する贈答用箱について、その中仕切りが見栄えがいいように工夫された箱が知られている（例えば、特許文献１参照）。
【０００３】
この贈答用箱では、外の包み（化粧包装紙）をときその開閉フタを開けると、収容された石鹸などが中仕切りに沿って体裁良く収納されている様が目に入りなかなか綺麗であるという利点がある。
【０００４】
しかし、この贈答用箱は外の包みをといた時点では中に何が入っているのだろうという好奇心の他には特に謎解きのような興味をそそられることはなかった。
【特許文献１】
特開２０００―１８５７３０号公報（図１〜４）
【０００５】
【発明が解決しようとする課題】
そこでこの発明は、外の包みをといた時点で謎解きのような興味をそそられ得る商品の包装用ケースを提供しようとするものである。
【０００６】
【課題を解決するための手段】
前記課題を解決するためこの発明では次のような技術的手段を講じている。
▲１▼  この発明の商品の包装用ケースは、異なる数字が付された商品群から選択された複数の商品を収容するケースであって開閉フタを有し、前記収容された複数の商品に付された各数字を閉フタ状態で視認可能とする複数の対応窓部が前記開閉フタに連設されたことを特徴とする。
【０００７】
この商品の包装用ケースでは、異なる数字が付された商品群から選択され収容された複数の商品に付された各数字（なお同じ数字の商品を２個以上選択してもよく、色々な数字が付してある複数の商品群の全ての商品を選択してもよい）が、その開閉フタに連設された複数の対応窓部を介して閉フタ状態でも視認可能である。よって、開閉フタが閉フタ状態でも、選択された複数の数字を見て、その組み合わせや配列に込められた意味に色々と思いを馳せ想像を巡らすことができる。
【０００８】
なお、前記一つの商品に対する数字として整数ではあるが自然数ではない「０」という数字や、二字以上から成る「００」という数字、「１１２（三桁である）」という二桁以上の数字を設けてもよい。また、少数や分数、有理数、無理数などを用いてもよく、数字が記載されていない空白「  」（スペースすなわち白ベタ）を設けた商品を含めてもよい。
【０００９】
さらにケース中に商品の収容域が例えば７箇所ある場合、そのうちの６箇所に６個の商品だけを収容するようにしてもよい（１箇所の収容域は空きとなる）。この場合、１箇所の収容域は何も収容されていない状態となるが、このことにも贈り主の何らかの意味や意図や思いを持たせることができる。
【００１０】
なお、贈り主が贈り物に込める思いなどを商品の吟味・選択時に深考し、贈られた方がその思いをくもうとするところが非常に興味がそそられると共に、数字等の組み合わせの楽しさ面白さを味わうことができる。すなわち、贈るとき及び貰うときに、今までにはない非常に愉快な経験をすることができる。
【００１１】
ここで、前記商品の数字の選択や配置の仕方として、相手の誕生日や（１９８１年１２月０３日生まれなら例えば１９―８１―１２―０３という４つの数字に対する４商品）、相手の結婚記念日などの各種記念日（２００２年１１月２１日が記念日なら例えば２０―０―２―１―１―２―１という７つの数字に対する４種類の７商品）、相手の電話番号（携帯電話番号が０９−０３−１２−３４−５−６−７なら７つの数字に対する７商品）、相手の二人（カップル）がこれから結婚する思い出の週（結婚が、日→２４日、月→２５日、火→２６日、水→２７日、木→２８日、金→２９日、土→３０日の週の予定のなら２４−２５−２６−２７−２８−２９−３０の７つの数字に対する７商品）などを例示することができる。また、数字に語呂合わせなどを当てはめてもよい。
【００１２】
前記商品群として、チューブに入った風味が異なる複数の歯磨き群（例えばあまじお味、トロピカルパイン味、ペパーミント味、…など）、チューブに入った味付けが異なる複数のケチャップ群（例えば芥子入りその他）、マヨネーズ群などの調味料、その他お菓子類等の食料品などを例示することができる。また食料品以外に、多色の絵の具群やクレヨン群などであってもよい。
【００１３】
例えば歯磨きの場合には、商品群をひと月３１日分の３１種類のフレイバー（１〜３１日の各日に各種フレイバーを割り当てる）としてこのうち贈答用に７個を選択するようにし、開閉フタの窓部は一週間の各曜日に対応させて７個とし（一週間セットの場合）、それぞれの窓部を日・月・火・水・木・金・土の各曜日に対応させ、各曜日によって使用する歯磨きを日替わりで替えるようにすることができる。ここで、一週間セットではなく１０日セットとする場合は１０個の窓部、一ヶ月セットとする場合は３１個の窓部とすればよい。
【００１４】
前記ケースに一緒に収容される商品同士は、何種類かの異質な商品であってもよい。例えば、ケチャップとマヨネーズの混合等である。
【００１５】
前記ケースは基本的に不透明のものが好ましいが、別に透明性が付与されていてもよい。この場合は濃い着色が施されている方が「収容されている商品は何か」がフタを開けた後の楽しみとして残しておけるので好ましい。また開閉フタからは数字だけが視認できて、商品の種類が何かはフタが閉まった状態では分かりづらい方が「収容されている商品は何か」がフタを開けた後の楽しみとして残しておけるので好ましい。
▲２▼  前記商品群は異なる数字が付された商品と共に他の表示が付された商品とから成ることとしてもよい。
【００１６】
このように構成すると、外の包みをといた時点で数字と共に数字以外の表示が選択された意味にも色々と思いを馳せ想像を巡らすことができ、更に謎解きのような興味をそそられ得る。ここで、商品に対する前記数字以外の表示として、「＊」印や適宜のマークを設けてもよい。前記マークとして、色々なワンポイントの図柄（例えば干支の動物や星座、小熊その他の動物の顔や花）を用いることができる。
【００１７】
例えば、戌年生まれの人と寅年生まれの人とが結婚する場合の二人への贈答品として、イヌの顔の表示が付された商品とトラの顔の表示が付された商品とを混ぜておくことができる。
【００１８】
【発明の実施の形態】
以下、この発明の実施の形態を図面を参照して説明する。
（実施形態１）
図１及び図２に示すように、この実施形態の商品の包装用ケースは、異なる数字１が付された商品群から選択された複数の商品２を収容するものであって開閉フタ３を有する。
【００１９】
前記商品群は、チューブに入った風味が異なる歯磨き粉とした。すなわち、ひと月３１日分３１種類のフレイバーの歯磨き粉を用意している。つまり１〜３１日の各日に各種フレイバーを割り当てており、前記フレイバーは具体的には「１」はあまじお風味、「２」はトロピカルパイン風味、「３」はペパーミント風味、「４」はフレッシュヨーグルト風味、…（この間書略）…、「８」ははちみつ風味、「９」はキウイフルーツ風味、…（この間書略）…、「１２」は津軽りんご風味、「１３」はバニラ風味、「１４」はインドカリー風味、「１５」はストロベリー風味、…（この間書略）…、「２１」はダージリンティー風味、「２２」はシナモン風味、…（この間書略）…、「２７」はキャラメル風味、「２８」はエスプレッソ風味、…（この間書略）…、「３１」はコーラ風味としている。そして、このうち贈答用に７個の歯磨き粉を選択する。
【００２０】
また、ケース４に収容された複数の商品２に付された各数字１を閉フタ状態（図１参照）で視認可能とする複数の対応窓部５が前記開閉フタ３に連設されている。前記開閉フタ３の窓部５は一週間の各曜日に対応させて７個とし、それぞれの窓部を日・月・火・水・木・金・土の各曜日に対応させ、各曜日によって使用する歯磨き粉を日替わりで替えるようにすることができる。
【００２１】
すなわち、一番左の１個目は日曜日に対応して数字１は「４」であるからフレッシュヨーグルト風味、２番目は月曜日に対応して数字１は「８」であるからはちみつ風味、３番目は火曜日に対応して数字１は「１２」であるから津軽りんご風味、４番目は水曜日に対応して数字１は「１４」であるからインドカリー風味、５番目は木曜日に対応して数字１は「２１」であるからダージリンティー風味、６番目は金曜日に対応して数字１は「２７」であるからキャラメル風味、７番目は土曜日に対応して数字１は「３１」であるからコーラ風味、のそれぞれの歯磨き粉を用いてその日は歯を磨く。つまり、曜日に応じて吐く息の風味・匂いが異なるのである。
【００２２】
前記ケース４は不透明としている。また開閉フタ３からは数字１だけが視認できて、商品２の種類が何かはフタが閉まった状態では分かりづらいようにしている。
【００２３】
次に、この実施形態の商品の包装用ケースの使用状態を説明する。
【００２４】
この商品の包装用ケースでは、異なる数字１が付された商品群から選択され収容された複数の商品２に付された各数字１が、その開閉フタ３に連設された複数の対応窓部５を介して閉フタ状態（図１参照）でも視認可能である。
【００２５】
よって開閉フタ３が閉フタ状態でも選択された複数の数字１（「４」，「８」，「１２」，「１４」，「２１」，「２７」，「３１」）を見て、その組み合わせや配列に込められた意味（相手に吐いてもらいたい息の風味その他）に色々と思いを馳せ想像を巡らすことができ、外の包み（図示せず）をといた時点で謎解きのような興味をそそられ得るという利点がある。
（実施形態２）
次に、実施形態２を実施形態１との相違点を中心に説明する。
【００２６】
図３に示すように、商品群は「２０」「０２」「１０」「１０」という４個の数字１が付された商品（図示せず）と共に、他の表示６が付された３個の商品とから成るようにしている。
【００２７】
すなわち、結婚するねずみ年生まれの人と未年生まれとの二人への贈答品とし、他の表示６として干支のネズミの顔の表示６が付された商品と羊の顔の表示６が付された商品とハートの形の表示６が付された商品とを混ぜている。
【００２８】
したがって、外の包みをといた時点で数字１と共に数字以外の表示６が選択された意味にも色々と思いを馳せ想像を巡らすことができ、更に謎解きのような興味をそそられ得るという利点がある。
【００２９】
【発明の効果】
この発明は上述のような構成であり、次の効果を有する。
【００３０】
開閉フタが閉フタ状態でも選択された複数の数字を見てその組み合わせや配列に込められた意味に色々と思いを馳せ想像を巡らすことができるので、外の包みをといた時点で謎解きのような興味をそそられ得る商品の包装用ケースを提供することができる。
【図面の簡単な説明】
【図１】この発明の商品の包装用ケースの実施形態１で閉フタ状態を説明する斜視図。
【図２】図１の商品の包装用ケースで開閉フタを開けた状態を説明する斜視図。
【図３】この発明の商品の包装用ケースの実施形態２で閉フタ状態を説明する平面図。
【符号の説明】
１  数字
２  商品
３  開閉フタ
４  ケース
５  対応窓部
６  他の表示
【図１】
2004196320.tif 000003
【図２】
2004196320.tif 000004
【図３】
2004196320.tif 000005